Podtech/llm-jp-corpus-v4-ja_patent huggingface dataset:
(57)【要約】
【課題】  従来のエアーメーターに使用するコンクリート収納容器を極力軽量化することが望まれていた。
【解決手段】  コンクリート収納容器１の外周部の肉厚を薄肉にすると共に薄肉部分の外周にカーボンファイバー層２及び３を複数積層することで剛性を維持するようにしてなる。
【選択図】        図１
0003101087.tif 000002
【実用新案登録請求の範囲】
【請求項１】
フレッシュコンクリートを収納するジュラルミンその他チタンアルミ合金或いはマグネシウ厶合金製容器１において、容器１の外周部分に薄肉部１′を形成し、薄肉部１′にカーボンファイバー層２の有機繊維を巻成して一体化することにより剛性を維持し、軽量化することを特徴とするフレッシュコンクリートのエアーメーター容器の改良。
【請求項２】
薄肉部１′の第１層目にグラスファイバー層５、第２層目にカーボンファイバー層２を夫々積層形成したことを特徴とする請求項１記載のフレッシュコンクリートのエアーメーター容器の改良。
【請求項３】
薄肉部１′に第３層目としてカーボンファイバークロス層３を積層形成したことを特徴とする請求項２記載のフレッシュコンクリートのエアーメーター容器の改良。
【考案の詳細な説明】
【考案の詳細な説明】
【技術分野】
【０００１】  本考案はフレッシュコンクリートの空気量を測定するエアーメーターにおける容器の改良に関する。
【背景技術】
【０００２】  エアーメーターの一般的な構造はＪＩＳ１１２８（１９９９）に記載の通りであり、エアーメーターは何れの作業現場へも持ち込めるように可搬式としており、空気量測定時に印加する一定の空気圧に耐えられるように構成している。
【考案が解決しようとする課題】
【０００３】  従来のエアーメーターに使用するコンクリート収納容器は、取り扱い上の観点から極力軽量化することが望まれていた。
【課題を解決するための手段】
【０００４】  本考案は、コンクリート収納容器の外周部の肉圧を薄肉にすると共に薄肉部分にカーボンファイバーを複数積層する事により剛性を維持しながら軽量化し、従来例の要望に応えるものである。
【考案を実施するための最良の形態】
【０００５】  先ず本考案の要旨とする処は、フレッシュコンクリートを収納する容器の外周部にカーボンファイバー層を一層若しくは複数層巻成することにより該容器の実質的肉厚を薄くなし、容器の剛性低下を伴うことなく一定の耐圧性を維持できるように構成する。
【実施例１】
【０００６】  以下図１、２に示す実施例により述べると、容器１はジュラルミン（アルミ合金）或いはチタンアルミ合金又はマグネシウム合金製で、その外周の薄肉部１′に抗張力が高く然も２４〜８０ｔ／ｍｍ２の弾性を有するカーボンファイバー（ＣＦＵＤ）層２を緊密に巻き施すか、或いは更にその外周にカーボンファイバークロス（ＣＦクロス）層３を巻き被せて一体的に構成する。（請求項１）【０００７】  尚、上記に於けるカーボンファイバー層２又は３としてはアラミドファイバー或いは高分子高強度ファイバー等の有機繊維を使用し、これ等のファイバー層２、３を一体化するにはエポキシ樹脂又はポリエステル樹脂等の固結材を用いて固定する。【０００８】  このようにカーボンファイバー層２とその上にバイアス地のカーボンファイバークロス層３を積層することにより働きの異なる二層のカーボンファイバーによって互い機能を補完し合い剛性を一層向上させることができる。【０００９】  また、上記実施例ではベースとなるコンクリート収納容器１（金属）と巻装した有機繊維層例えばカーボンファイバー層その他との間で電食を生じる虞がない場合は特別の配慮が不要である。
【実施例２】
【００１０】  しかし、該容器１とカーボンファイバー（ＣＦＵＤ）層２との間で電食によって容器１の金属が腐蝕する虞がある場合には、腐蝕によって容器１の剛性が低下するのでそれを避けるために図３に示すように該容器１の薄肉部１′の外側第１層目にグラスファイバー（ＧＦクロス）層５を設けて容器１との間を絶縁した状態にし、その外側にカーボンファイバー層２を設けることにより電食を防止するものとする。（請求項２）【００１１】  更に前記カーボンファイバー層２の外側にカーボンファイバークロス層３を巻き施すことにより耐蝕性に優れ且つ剛性の高いコンクリート収納容器を提供することができる。【００１２】  肉厚を６ミリから４ミリにすることで概ね１ｋｇの減量なり、従ってエアーメーター全体の重量感を軽減でき持ち運びがし易くなる。【００１３】  尚、図面に示すエアーメーターはフレッシュコンクリートの収納容器１に水密嵌入した中蓋６の上部に測定機能部９を備えた抑え蓋７を載置し、該抑え蓋７の周縁部に枢設したフック８によって容器１の鍔縁４に掛止にしている。
【考案の効果】
【００１４】  フレッシュコンクリート収納容器１の薄肉部１′外周にカーボンファイバーその他有機繊維層２を設けることで容器１の剛性を保ち且つ軽量化ができる。
【００１５】  容器を構成する金属の薄肉部１′の外周にグラスファイバー層５を設けることにより金属部分とカーボンファイバー層２との間を絶縁して電食を防止し、剛性低下を抑制できる。
【００１６】  グラスファイバー層５上にカーボンファイバー層２とカーボンファイバークロス層３を多重積層することにより互いに異なる作用によって補完し合い一層抗張力が増加し、金属部分をより薄く削減することが可能となり軽量化を更に進めることができる。
【図面の簡単な説明】
【図１】  本考案フレッシュコンクリートのエアーメーターの一部切欠側面図
【図２】  同上要部拡大断面図
【図３】  同上他の実施例を示す要部拡大断面図
【符号の説明】
１  フレッシュコンクリートの収納容器
１′  薄肉部
２  カーボンファイバー層
３  カーボンファイバークロス層
５  グラスファイバー層
【図１】
0003101087.tif 000003
【図２】
0003101087.tif 000004
【図３】
0003101087.tif 000005
【手続補正書】
【提出日】平成15年11月5日(2003.11.5)
【手続補正１】
【補正対象書類名】実用新案登録請求の範囲
【補正対象項目名】全文
【補正方法】変更
【補正の内容】
【実用新案登録請求の範囲】
【請求項１】
フレッシュコンクリートを収納するジュラルミンその他チタンアルミ合金或いはマグネシウム合金製容器１において、容器１の外周部分に薄肉部１′を形成し、薄肉部１′にカーボンファイバー層２の有機繊維を巻成して一体化することにより剛性を維持し、軽量化することを特徴とするフレッシュコンクリートのエアーメーター容器。
【請求項２】
薄肉部１′の第１層目にグラスファイバー層５、第２層目にカーボンファイバー層２を夫々積層形成したことを特徴とする請求項１記載のフレッシュコンクリートのエアーメーター容器。
【請求項３】
薄肉部１′に第３層目としてカーボンファイバークロス層３を積層形成したことを特徴とする請求項２記載のフレッシュコンクリートのエアーメーター容器。
【手続補正３】
【補正対象書類名】明細書
【補正対象項目名】０００１
【補正方法】変更
【補正の内容】
【０００１】本考案はフレッシュコンクリートの空気量を測定するエアーメーター容器に関する。
(57)【要約】【課題】いままで二人一組でやってきた塗料をろ過する作業を、一人で効率よく作業できるようにする。【解決手段】イメージ的にはドリップコーヒーの様に、容器の上にろ過装置を固定させて、塗料を漉すことができる様にした。【選択図】    図１
0003101083.tif 000002
【実用新案登録請求の範囲】
【請求項１】
ろ過装置を固定させることによって、一人でも塗料を濾過できる使い捨てフィルター
【考案の詳細な説明】
【０００１】
【考案が解決しようとする課題】
塗装作業に使う塗料は、使っているうちにゴミやカスが入ってしまう。そのため二人一組でストッキングを使い漉さなければならなかった。一人では非常に困難な作業であるという問題点があった。ザルの様な漉し器では塗料が固まってしまい何度も使えないという課題があった
【０００２】
【課題を解決するための手段】
一人でも漉す作業ができるように、漉した塗料を入れる容器の上に、段ボール紙で作った固定できるろ過装置を考案することによって解決した。使い捨てができる様にダンボールを使った。
【０００３】
【考案の効果】
固定されたろ過装置を使うことによって、一人でも容易に、手軽に、かつ綺麗に塗料のゴミやカスを取り除くことができる。
【図面の簡単な説明】
【図１】フィルターをナナメ横からみた平面図である。
【図２】考案したろ過装置の使用状況を示す平面図である。
【符号の説明】
１  ダンボール紙
２  ストッキング部分
３  ろ過したものを溜める容器
【図１】
0003101083.tif 000003
【図２】
0003101083.tif 000004
【手続補正書】
【提出日】平成15年9月6日(2003.9.6)
【手続補正１】
【補正対象書類名】明細書
【補正対象項目名】全文
【補正方法】変更
【補正の内容】
【実用新案登録請求の範囲】
【請求項１】使い捨てろ過装置フィルター
【考案の詳細な説明】
【０００１】
【物品の構成】
周りは薄いダンボール紙、フィルター部分はナイロン、ポリウレタン材質のもの（ストッキング）ストッキングを安定させるために薄いダンボール紙で周りを被い固定させる。紙とストッキングは接着剤で接合する。
【０００２】
【形状と考案内容】
構造や形状は、ドリップコーヒーのフィルターと同じシステムである。
塗料の中に入ったごみや塗料カスを取り除くための用途に使うもの。
【０００３】
【考案が解決しようとする課題】
何度も使いまわしをする一液性の塗料などは、ごみや塗料カスが溜まりやすく、そのまま塗装すると塗装面についてしまうので、ごみなどを取り除く必要があった。簡単にろ過するものが市販されていなかった。
【０００４】
【考案の詳細な説明】
ごみなどが入ってしまった塗料のごみを取り除くために、まず受け物（さけつ、塗料缶）の上に、こうあんした「ろ過装置」をセットする。そこにごみの入った塗料を流し込む。フィルター（ストッキング）を通すためごみなどを取り除くことができる。
【図面の簡単な説明】
【図１】フィルターを平らにして、上から見たところである。
【図２】フィルターをセットしているところである。
0003101083.tif 000005
【手続補正書】
【提出日】平成15年11月17日(2003.11.17)
【手続補正１】
【補正対象書類名】明細書
【補正対象項目名】全文
【補正方法】変更
【補正の内容】
【考案の詳細な説明】
【実用新案登録請求の範囲】
【請求項１】段ボール紙の中央部に開口部を設けて、ナイロン、ポリウレタン材質からなるフィルターを当該開口部に固定した構成を有する使い捨てろ過装置フィルター
【考案の詳細な説明】
【０００１】
【物品の構成】
周りは薄いダンボール紙、フィルター部分はナイロン、ポリウレタン材質のもの（ストッキング）ストッキングを安定させるために薄いダンボール紙で周りを被い固定させる。紙とストッキングは接着剤で接合する。
【０００２】
【形状と考案内容】
構造や形状は、ドリップコーヒーのフィルターと同じシステムである。
塗料の中に入ったごみや塗料カスを取り除くための用途に使うもの。
【０００３】
【考案が解決しようとする課題】
何度も使いまわしをする一液性の塗料などは、ごみや塗料カスが溜まりやすく、そのまま塗装すると塗装面についてしまうので、ごみなどを取り除く必要があった。簡単にろ過するものが市販されていなかった。
【０００４】
【考案の詳細な説明】
ごみなどが入ってしまった塗料のごみを取り除くために、まず受け物（さけつ、塗料缶）の上に、こうあんした「ろ過装置」をセットする。そこにごみの入った塗料を流し込む。フィルター（ストッキング）を通すためごみなどを取り除くことができる。
【図面の簡単な説明】
【図１】フィルターを平らにして、上から見たところである。
【図２】フィルターをセットしているところである。
(57)【要約】      （修正有）【課題】中空糸膜、セラミック及びＳＰＧ（シラス多孔体ガラス）の利点である細かな物でも除去できる特性と有効ろ過面積の大きさを利用して、原虫のクリプトスポリジウム及びジアルジア等を高回収率で濃縮補足する携帯型濃縮装置を提供すること。【解決手段】本考案は有効ろ過面積の大きい中空糸膜、セラミック及びＳＰＧ（シラス多孔体ガラス）を利用して、図１のような試料採取装置で野外において迅速簡便に濃縮するものである。なお、河川等の野外での試料採取方法は１２Ｖ、２４Ｖ充電式直流バッテリーパック電池４、１２Ｖ、２４Ｖ直流ダイアフラムポンプ２及び流量計３をカートリッジの流出側に用い、電源をケースと一体型の構造とし軽量化していることを特徴としている。また、バッテリーパック電池は取り外しができ充電器により充電する方法。【選択図】    図１
0003101082.tif 000002
【実用新案登録請求の範囲】
【請求項１】
携帯型試料採取装置の構造は１２Ｖ、２４Ｖ直流型ダイアフラムポンプ（商品例  ＳＨＵＲｆｌｏ（シャフロー）社製ＤＩＡＰＨＲＡＧＭ  ＰＵＭＰ２０８８−４４３−１４４）、小型流量計（商品例  オーバル社製エッグ  デルタＦＬＭ２０）及びバッテリーパック（商品例  藤原産業株式会社製  １２Ｖ円筒密閉型ニッケル、カドミニウム蓄電池等）から構成されケースに内蔵した構造。
【請求項２】
カートリッジは中空糸膜、セラミック及びＳＰＧ（シラス多孔体ガラス）を素材として用いる。
【請求項３】
１２Ｖ、２４Ｖバッテリーパックは充電器（商品例  ＡＮＯＭＡ  ＥＣ社製ＡＢＣ−ＵＦ３０１０ｊ）で充電し試料採取時に本体に取り付ける構造。
【考案の詳細な説明】
【０００１】
【考案が解決しようとしている課題】
従来、厚生労働省が定めている試験方法の「水道に関するクリプトスポリジウムのオーシスト検出のための暫定的な試験方法」による方法は原虫クリプトスポリジウム、ジアルジア等を次の濃縮方法で濃縮することが記載されている。
▲１▼  吸引ろ過によりセルロースフィルター上に補足し、そのフィルターをアセトンにより溶解する方法。
▲２▼  ９０〜１４２ｍｍステンレスホルダーにろ紙を乗せ、送液ポンプ（ロータリーポンプ）により加圧ろ過しメンブレンフィルター上の補足物を超音波で剥離する方法。
▲３▼  ゲルマン社の商品エンバエロチェックを用いたカートリッジフィルター法ところで、河川水のような低濁度から高濁度まである原水を検査する場合、従来の方法では、目詰まりが速く、フィルターの交換が大変であった。併せて、メンブランフィルターの使用枚数が多くなり、ろ過に要する時間を費やすのが実態であった。
また、加圧ろ過法はろ紙交換のたびにステンレスホルダーの３本のネジを取り付け、取り外しなければならない。
なお、超音波による剥離、手もみ操作によるオーシストの破壊、フィルター付着及び損失により回収率が悪いという欠点があった。
カートリッジフィルター法は採水量が多く取れるという利点はあるが、高価でフィルターがプリーツ（蛇腹）のためクリプトスポリジウム等が細部に入り込み、回収率が悪いという欠点があった。
また、これらの方法は河川、給水栓等の現場において、原水試料１０リットル、処理水２０リットル以上の試料を採取しなければならず危険で、かなりの重労働となり作業者の大きな負担となっていた。
本案はこれらの欠点を除いて、中空糸膜、セラミック及びＳＰＧ（シラス多孔体ガラス）の利点である大きな有効ろ過面積を活かし、１２Ｖ、２４Ｖ直流型ダイアフラムポンプ（マグネットポンプ）を用いる事により▲１▼多量の試料採取▲２▼低価格▲３▼高回収率▲４▼現場での安全性の確保と重労働の軽減等を改善し野外において試料を迅速で簡便に採取しようとするものである。
【０００２】
【課題を解決するための手段】
従来の河川、給水栓等の野外における試料採取は原水試料１０リットル、処理水２０リットル以上の試料を２０リットル用運搬容器で採取しなければならず危険で、かなりの重労働となり作業者の大きな負担となっていた。
この試料の採取方法及び試料採取装置は１２Ｖ、２４Ｖ直流ダイアフラムポンプ（マグネットポンプ）を流出側に用い、電源は直流の１２Ｖ、２４Ｖバッテリーパックを用いる事で装備の軽量化を図り野外で迅速簡単に試料を採取し、併せて重労働の軽減、安全に採取することが可能になった。
【０００３】
【考案の効果】
ＭＦ（精密ろ過膜）の中空糸膜フィルター、セラミック及びＳＰＧ（シラス多孔体ガラス）を利用してクリプトスポリジウム、ジアルジア等の濃縮操作を行い、８１〜１００％の高回収率でこれらを補足することができる。併せて、多量ろ過が可能なことで検出効率を高めることができた。また、充電式の１２Ｖ、２４Ｖ直流バッテリーパックと１２Ｖ、２４Ｖダイアフラムポンプを用いることにより、河川等の現場において簡便、迅速に試料を採取することができ、従来、作業者に大きな負担となっていた試料採取が容易になることで、重労働からの解放が期待できる。
【図面の簡単な説明】
【図１】携帯型試料採取装置の断面図である。
【図２】携帯型試料採取装置の平面図である。
【図３】中空糸膜カートリッジの断面図である。
【符号の説明】
１．ＭＦ（精密ろ過膜）の中空糸膜フィルター
２．直流型ダイアフラムポンプ
３．小型流量計
４．充電式バッテリーパック
５．ホースジョイント
【図１】
0003101082.tif 000003
【図２】
0003101082.tif 000004
【図３】
0003101082.tif 000005
【手続補正書】
【提出日】平成15年8月10日(2003.8.10)
【手続補正１】
【補正対象書類名】明細書
【補正対象項目名】実用新案登録請求の範囲
【補正方法】変更
【補正の内容】
【実用新案登録請求の範囲】
【請求項１】
携帯型試料採取装置の構造は１２Ｖ、２４Ｖ直流型ダイアフラムポンプ、小型流量計及び充電式バッテリーパックから構成されケースに内蔵した構造。
【手続補正４】
【補正対象書類名】明細書
【補正対象項目名】０００１
【補正方法】変更
【補正の内容】
【０００１】
本案はこれらの欠点を除いて、中空糸膜の利点である大きな有効ろ過面積を活かし、１２Ｖ、２４Ｖ直流型ダイアフラムポンプ（マグネットポンプ）を用いる事により▲１▼多量の試料採取▲２▼低価格▲３▼高回収率▲４▼現場での安全性の確保と重労働の軽減等を改善し野外において試料を迅速で簡便に採取しようとするものである。


【手続補正５】
【補正対象書類名】明細書
【補正対象項目名】０００３
【補正方法】変更
【補正の内容】
【０００３】
ＭＦ（精密ろ過膜）の中空糸膜フィルターを利用してクリプトスポリジウム、ジアルジア等の濃縮操作を行い、８１〜１００％の高回収率でこれらを補足することができる。
(57)【要約】
【課題】
より強力に除菌及び消臭力を長時間にわたり持続させるとともに、その強弱の度合いを簡単に加減できるような、コンパクトな除菌消臭器を提供する。
【解決手段】
安定化二酸化塩素と塩素化イソシアヌル酸と重曹に水を加えた水混合物ないし水溶液１を容器２内に収容し、該容器２の蓋３に多数の通気空隙４を設けるとともに、蓋３の下面には不織布類５を積層させて、本考案の除菌消臭器とする。
或いは予め水を加えておくのではなく、ユーザーが使用時に水を加えられるように水注入が可能な容器２内に安定化二酸化塩素と塩素化イソシアヌル酸と重曹を主成分とする固体Pを収容ないし近辺添付し、該容器２の蓋３に多数の通気空隙４を設けるとともに蓋３の下面に不織布類５を積層する。
【選択図】  図１
0003101011.tif 000002
【実用新案登録請求の範囲】
【請求項１】
安定化二酸化塩素と塩素化イソシアヌル酸と重曹に水を加えた水混合物ないし水溶液を容器内に収容し、該容器の蓋に多数の通気空隙を設けるとともに、該蓋下面には不織布類を積層させたことを特徴とする除菌消臭器。
【請求項２】
水注入が可能な容器内に安定化二酸化塩素と塩素化イソシアヌル酸と重曹を主成分とする固体を収容ないし近辺添付し、該容器の蓋に多数の通気空隙を設けるとともに、該蓋下面には不織布類を積層させたことを特徴とする除菌消臭器。
【考案の詳細な説明】
【技術分野】
【０００１】
本考案は、高度に除菌消臭を行うとともにその度合いを加減できるコンパクトな除菌消臭器に関する。
【背景技術】
【０００２】
室内感染などを防止する除菌材として、安定化ニ酸化塩素と塩素化イソシアヌル酸と重曹とを主成分とする（タブレット状の）除菌ないし滅菌剤が既に各所で使用されている。しかしながらこれには特有の臭気があるため、ある種の脱臭剤を併用する試みもなされている。例えば、二酸化塩素を使用する除菌消臭剤としては、安定化二酸化塩素水溶液を用いそのｐH調整剤として緩衝液を使用する方法が開示されている（特許文献１）。しかし安定化二酸化塩素水溶液の最適使用法、二酸化塩素水溶液の容器に関してはなお開示されていない。
【０００３】
【特許文献１】特開平１０−２４８９１１号公報。
【考案の開示】
【考案が解決しようとする課題】
【０００４】
上記のような素材のタブレット状除菌材は、その表面から昇華作用によって有効成分が徐々に発散してゆくものであるが、その度合いが簡単にコントロールできず、また比較的短時間で有効性又は発散力が低下してしまうという問題点があった。
【０００５】
本考案はかかる現状から、より強力に除菌力を長時間にわたり持続させるとともに、その度合いを簡単に加減できるようにし、さらに臭気をより抑制するようなコンパクトな除菌消臭器を提供することを課題とする。
【課題を解決するための手段】
【０００６】
安定化二酸化塩素と塩素化イソシアヌル酸と重曹に水を加えた水混合物ないし水溶液１を容器２内に収容し、該容器２の蓋３に多数の通気空隙４を設けるとともに、蓋３の下面には不織布類５を積層させて、本考案の除菌消臭器とする。
【０００７】
或いは予め水を加えて置くのではなく、ユーザーが使用時に水を加えられるように水注入が可能な容器２内に安定化二酸化塩素と塩素化イソシアヌル酸と重曹を主成分とする固体Pを収容ないし近辺添付し、該容器２の蓋３に多数の通気空隙４を設けるとともに蓋３の下面に不織布類５を積層してもよい。
【０００８】
ここでいう安定化二酸化塩素と塩素化イソシアヌル酸と重曹などからなる除菌剤は既にタブレットなど固形状の製品として使われているものであって、通常はそのままの形態で使用するものであるが、水にも可溶でありその溶かした液から飛散する蒸気は殺菌力がより強力になると同時に、効力の持続時間も一層長くなることが判明した。
【０００９】
さらにその蒸気は、不織布類を通過させることによって臭気が顕著に低減するとともにその度合いが不織布類の厚みにほぼ比例するため、除菌力や臭気などの度合いのコントロールが使用する不織布類の厚みの選択により容易にできることも判明した。
【００１０】
本考案の上記のような形態の商品をそのまま部屋などに蓋をつけたまま置いて使用してもよいが、必要に応じ吸引装置（ミニファン）などをその上部に取り付けた形態にして、より積極的に蒸気を発散させることは任意である。
【００１１】
なお、不織布類５が緻密な場合は、多数のピンホール状小孔を形成してもよい。この場合、上広がりテーパの孔にしておくと、転倒しても水がこぼれないなどのメリットがある。
【００１２】
本考案は少なくとも使用する際には安定化二酸化塩素と塩素化イソシアヌル酸と重曹などからなる固体Pに水を加えた水混合物ないし水溶液１を容器２内に収容した状態にし、多数の通気空隙４があってその下面には不織布類５が積層された蓋３を該容器２に被せた状態で使用される。従ってそうすることにより、除菌効力の大きい蒸気が先ず不織布類５を通過し、更に通気空隙４を通って外部に飛散する。その際の飛散量或いは除菌力或いは臭気の度合いは、使用する固体Pからなる除菌剤の多少よりも、使用する不織布類の厚みと目付けによってコントロールされることになる。
【００１３】
なお、安定化二酸化塩素と塩素化イソシアヌル酸と重曹などからなる固体の材料を水に溶かすことによって効力が増大したのは、それによりラジカル酸素が発生してより強力にカビ、ウィルス、細菌などを殺し、更にタバコ臭のアルデヒド類や生ゴミなどの悪臭物質を酸化分解するためであると考えられる。
【考案を実施するための最良の形態】
【００１４】
直径及び深さが約５０ｍｍのガラス又はプラスチック製容器内に、安定化塩素と塩素化イソシアヌル酸と重曹などよりなるタブレット状除菌剤を数個収容又は収容できるようにセット化し、その螺子回し型蓋の天井部は格子状にして多数の通気貫通空隙が形成された形とし、その下面に特殊グレードの０．５〜２ｍｍ厚の不織布を積層した商品形態とする。
【００１５】
上記のような形態の製品の容器内に水を注入し、タブレットを溶解させて蓋をし、室内、車内、冷蔵庫、ロッカーなど所望する場所に置いた。その結果、水を入れない場合よりはるかに効力が増大したばかりか、有効期間も増大した。また使用する不織布の厚みを      ０．５ｍｍ、１ｍｍ、２ｍｍとそれぞれ変えてみたところ、その厚みに応じて発する臭気が顕著に増減することが明白に認められた。
【００１６】
上記のタブレット溶液を入れた容器の上部にミニ吸引ファンをセットして同様に行ったところ、効果は一層増大したが、その強弱のコントロールは不織布の厚みで充分に可能であることが判明した。
【００１７】
このように本考案によれば、甚だコンパクトで効力及び持続力の大きな除菌消臭器を、状況に応じ簡単に強弱を加減選択した形で提供できる。
【図面の簡単な説明】
【００１８】
【図１】本考案の１実施例である除菌消臭器の斜視図である。
【図２】本考案の１実施例である除菌消臭器蓋部の斜め下方より見た斜視図である。
【符号の説明】
【００１９】
１  水混合物ないし水溶液
２  容器
３  蓋
４  通気空隙
５  不織布類
P  固体
【図１】
0003101011.tif 000003
【図２】
0003101011.tif 000004
(57)【要約】
【課題】
本考案は、安価にできるパーティクルボードに改良を加えて、木ねじ保持力や曲げ強度等を向上させて、敷居やドア枠等に最適な建築用の造作材を提供しようとするものである。
【解決手段】
粗木片チップに接着剤を添加した中芯層の表裏面に、木粉と接着剤を添加した表面層を重ね熱圧着、乾燥したパーティクルボードに於いて、少なくとも中芯層の粗木片チップ５５〜８０重量％に対し硬質ウレタンホーム粉末４５〜２０％を接着剤で結合し、パーティクルボードの表裏面にはＭＤＦ素材を層着した造作材である。
【選択図】  図１
0003101058.tif 000002
【実用新案登録請求の範囲】
【請求項１】
粗木片チップに接着剤を添加した中芯層の表裏面に、木粉と接着剤を添加した表面層を重ね熱圧着、乾燥したパーティクルボードに於いて、少なくとも中芯層の粗木片チップ５５〜８０重量％に対し硬質ウレタンホーム粉末４５〜２０％を接着剤と混合し、このパーティクルボードの表裏面にはＭＤＦ素材を層着した造作材。
【考案の詳細な説明】
【技術分野】
【０００１】
本考案は屋内の敷居、鴨居など建築物の内部造作に使用する造作材に関する。
【背景技術】
【０００２】
従来の建築物の内部造作材として使用される部材としては、単板を複数枚積層接着したもの（以下ＬＶＬ：Laminated Veneer Lumberという。）とか、材料の木材を繊維化して尿素、メラミン、フェノール樹脂等と混合、加熱、成型したもの（以下ＭＤＦ:Medium  Density  Fiber  Boardという。中質繊維板とも呼ばれている。）或いはＬＶＬの表面にＭＤＦを貼り合わせて表面性を向上させた複合材（以下ＬＶＸという。）がある。
【０００３】
然しながらＬＶＬもＭＤＦも高価で、またこれらを貼り合わせたＬＶＸも当然に高価となり、これらを使用する建築物の造作費用や製品の高騰を招き安価な造作材の提供が望まれている。
【０００４】
一方木材切削片（チップ）に尿素、メラミン、フェノール樹脂等の接着剤を混合、加熱、成型したパーティクルボードがあるが、これらは一般的には木ねじ保持力や曲げ強度等が少なく鴨居、敷居やドア枠等には使用できず、また木口面が粗く化粧布を貼っても凹凸が出るなど体裁の悪いものとなる恐れがあり、専ら木口面が表面に出ない所の板材として天板、壁板などに利用されるのが一般的である。
【考案の開示】
【考案が解決しようとする課題】
【０００５】
そこで本考案は、安価にできるパーティクルボードに改良を加えて、木ねじ保持力や曲げ強度等を向上させて、敷居やドア枠等に最適な建築用の造作材を提供しようとするものである。
【課題を解決するための手段】
【０００６】
本考案は、粗木片チップに接着剤を添加した中芯層の表裏面に、木粉と接着剤を添加した表面層を重ね熱圧着、乾燥したボードに於いて、少なくとも中芯層の木片チップ５５〜８０重量％に対し硬質ウレタンホーム粉末４５〜２０％を接着剤で結合し熱圧着し、粗木片チップに接着剤を添加した中芯層の表裏面に、木粉と接着剤を添加した表面層を重ね熱圧着、乾燥したパーティクルボードに於いて、少なくとも中芯層の粗木片チップ５５〜８０重量％に対し硬質ウレタンホーム粉末４５〜２０％を接着剤で結合し、パーティクルボードの表裏面にはＭＤＦ素材を層着したものである。
【考案の効果】
【０００７】
本考案の効果として、既存のパーティクルボードの製造設備をそのまま利用して安価に提供でき、しかもで木ねじ保持力や曲げ強度等に優れ、且つ木口面の凹凸を可及的に少なくして表面に化粧を施しても平滑にでき、鴨居、敷居やドア枠等に利用できる造作材を提供でき、また建築物などの廃材として出される硬質ウレタンホームを再利用できる利点がある。
【考案を実施する為の最良の形態】
【０００８】
粗木片チップ１に接着剤を添加した中芯層２の表裏面に、木粉３と接着剤を添加した表面層４を重ね熱圧着、乾燥したパーティクルボード５に於いて、少なくとも中芯層２の粗木片チップ（１）５５〜８０重量％に対し硬質ウレタンホーム粉末（５）４５〜２０％を接着剤で結合し、パーティクルボード６の表裏面にはＭＤＦ７，７素材を積層し貼り合わせてなるものである。
【０００９】
中芯層２の粗木片チップ５５重量％を未満で、硬質ウレタンホーム粉末４５％以下では木質感が失われるおそれがあり、また粗木片チップ８０重量％を超え、硬質ウレタンホーム粉末２０％未満では木口面のざらざら面が顕著になり貼り合わせた化粧布等の表面が凹凸になったりしてきれいに仕上がらず、また木ねじ保持力なども弱まる虞がある。好ましくは粗木片チップ（１）６０〜７０重量％に対し硬質ウレタンホーム粉末（５）４０〜３０％である。
【００１０】
粗木片チップ６５重量％に対し硬質ウレタンホーム粉末３５％を混合したパーティクルボード６の厚さを１８mmとし、このパーティクルボード６の表裏面に３mmのＭＤＦを貼り合わせた本案実施品と、同厚さのＭＤＦ、ＬＶＸの物性試験結果以下の表１〜５のとおりである（山形県工業技術センター所長、平成１５年７月３１日、試験日：平成１５年７月１６日〜同１７日）。尚本案実施品は試作品１、２（いずれも丸付き。）として表示する。
【００１１】
【表１】
0003101058.tif 000003
【００１２】
【表２】
0003101058.tif 000004
【００１３】
【表３】
0003101058.tif 000005
【００１４】
【表４】
0003101058.tif 000006
【００１５】
【表５】
0003101058.tif 000007
【図面の簡単な説明】
【００１６】
本考案に係わる断面説明図である。
【符号の説明】
【００１７】
１：粗木片チップ
２：中芯層
３：木粉
４：表面層
５：硬質ウレタンホーム
６：パーティクルボード
７：ＭＤＦ
【図１】
0003101058.tif 000008
(57)【要約】
【課題】他のレンズに比べて鮮明であり、目が疲れにくく、自律神経を穏やかにし、視力機能向上等の効果を有して目を健康に保つことができると言われている人工水晶から生まれた眼鏡用レンズを提供することにある。
【解決手段】研磨加工を施して屈折率１．５４に形成したアッベ数６９．９、比重２．２４の人工水晶からなる眼鏡用レンズである。
【選択図】  図１
0003101059.tif 000002
【実用新案登録請求の範囲】
【請求項１】
研磨加工を施した屈折率１．５４、アッベ数６９．９、比重２．２４の人工水晶からなることを特徴とする眼鏡用レンズ。
【請求項２】
請求項１記載の本考案の眼鏡用レンズの構成において、通常加工を施してなる眼鏡用レンズ。
【考案の詳細な説明】
【技術分野】
【０００１】
本考案は、各種の眼鏡のレンズとして使用できる眼鏡用レンズに関するものである。
【背景技術】
【０００２】
従来から眼鏡用レンズとしては、ガラスレンズやプラスチックレンズが一般に使用されている。ガラスレンズの特性は例えば屈折率１．６０、アッベ数４１．０、比重２．５８であり、プラスチックレンズの特性は例えば屈折率１．６０、アッベ数４２．０、比重１．３２である。
【０００３】
ガラスレンズは、経年変化が少なく、硬くて表面に疵がつきにくい（プラスチック比の３倍）、透明度が高い、熱に強い、耐用年数が長いといった利点がある。
【０００４】
反面、ガラスレンズは、プラスチックレンズに比べ比重が重く、衝撃で破損しやすいといった問題点がある。
【０００５】
また、プラスチックレンズは、ガラスレンズに比べ比重が小さくて軽く、割れにくく、衝撃に強く、染色できるのでファッション性に優れているといった利点がある。
【０００６】
反面、プラスチックレンズは、疵つき易く、熱に弱く、歪みが出やすく、アッベ数が低く鮮明さにおいて慣れに時間を要することもある、といった問題点がある。
【０００７】
このようにガラスレンズ並びにプラスチックレンズには、それぞれ長所と短所がある。
【０００８】
そこで、従来からガラスレンズとプラスチックレンズの長所を併せ持つようなレンズの開発が望まれていた。
【考案の開示】
【考案が解決しようとする課題】
【０００９】
本考案は前記のような現状に鑑みて開発されたものであり、その目的は従来のレンズの長所を併せ持つと共に、従来のレンズに比べて鮮明であり、目が疲れにくく、自律神経を穏やかにし、視力機能向上等の効果を有して目を健康に保つことができると言われている人工水晶から生まれた眼鏡用レンズを提供することにある
【課題を解決するための手段】
【００１０】
前記のような目的を達成するために、請求項1記載の本考案の眼鏡用レンズは、研磨加工を施した屈折率１．５４、アッベ数６９．９、比重２．２４の人工水晶からなることを特徴とする構成である。
【００１１】
また、請求項２記載の本考案の眼鏡用レンズは、請求項１記載の本考案の眼鏡用レンズの構成において、通常加工を施してなる構成である。
【考案の効果】
【００１２】
前記のような構成により本考案の眼鏡用レンズでは、歪みがほとんど出ないため目が疲れにくいといった効果があり、また、アッベ数が高く、他の材料に比類して驚異的な鮮明さを誇るため、視野がクリアである。さらに、遠赤外線放射エネルギーの発生により、目の疲れ、自律神経等を穏やかにすると言われています。また、マイナスイオンの発生量が多く、視力機能向上等に効果を持ち、目の健康を保つとも言われています。さらに、熱に強く、疵がつきにくい（プラスチックレンズ比で２．３倍）といった効果を奏することができる。
【考案を実施するための最良の形態】
【００１３】
以下、考案を実施するための最良の形態について説明する。
本考案の眼鏡用レンズ１は人工水晶からなるものである。人工水晶は例えばつぎのようにして析出される。すなわち、クラックや気泡の多い水晶を砕いたラスカと呼ばれる原料を、周囲にヒータを設けた圧力容器内の下半分（原料域）に入れ、事前に別の人工水晶を薄くスライスした多数の板を吊るした上半分を育成域として、前記原料域と育成域の間に多数の孔を穿孔した対流制御鉄板を設けて原料域と育成域とで温度差を付け、容器内を所定の濃度の水酸化ナトリウム水溶液で８０％位満たして蓋をし、ヒータで加熱して、原料域を４００度位、育成域３５０度位の制御する。この加熱によって容器内圧力は１４００ｋｇ／ｃｍ２位になる。この状態を１ヶ月〜数ヶ月維持することによって前記育成域の板に人工水晶が析出されて大きく成長する。
【００１４】
このようにして造られた人工水晶を特殊なカーブ研磨皿を備えた研磨機によって研磨することにより、屈折率１．５４、アッベ数６９．９、比重２．２４の人工水晶からなる眼鏡用レンズ１を形成する。この人工水晶からなる眼鏡用レンズ１を種々の眼鏡フレームに合うように研磨加工を施して、眼鏡フレームに取り付ける。
【００１５】
また、この本発明の眼鏡用レンズ１は、溝堀機によってナイロール加工等の通常加工を施したレンズでもある。
【００１６】
さらに本考案にかかる眼鏡用レンズ１はガラスレンズに比べて硬くモース硬度は７である。因みにガラスレンズのモース硬度は５であり、ダイヤモンドのモース硬度は１０である。
【００１７】
このような人工水晶からなる本考案の眼鏡用レンズ１では、前記したような効果を奏することができ、従来のガラスレンズとプラスチックレンズの長所を有するレンズを提供することができる。
【図面の簡単な説明】
【００１８】
【図１】本考案の眼鏡用レンズの正面図である。
【図２】本考案の眼鏡用レンズの側面図である。
【符号の説明】
【００１９】
１      眼鏡用レンズ
【図１】
0003101059.tif 000003
【図２】
0003101059.tif 000004
(57)【要約】
【課題】自動車用ホイールシリンダーピストンに傷を付けなく迅速かつ簡単にホイールシリンダーカップの取り除きを可能とする。
【解決手段】本考案は喰切り型ニッパーの刃先を自動車用ホイールシリンダーのピストン溝に合わせた形状にし、ホイールシリンダーカップ切断の際、刃先がピストン溝に接触しないようにカッター先端部３に逃げ角を設け、ホイールシリンダーピストンに傷を付けにくくし、迅速かつ簡単な作業に役立つ。
【選択図】  図１
0003101054.tif 000002
【実用新案登録請求の範囲】
【請求項１】
喰切り型ニッパーの刃先を自動車用ホイールシリンダーのピストン溝に合わせた形状にし、ホイールシリンダーカップ切断の際に刃先がピストン溝に接触しないように、逃げ角を設けた事を特徴とするカップカッター。
【考案の詳細な説明】
【技術分野】
【０００１】本考案は、刃先を自動車用ホイールシリンダーのピストン溝に合わせ、逃げ角を設けたニッパーに関するものである。
【背景技術】
【０００２】ホイールシリンダーピストンからカップを取り除く際には、通常のニッパーではピストン溝に傷を付けてしまうため、傷が付かないよう竹串等を用いていた。
最近のホイールシリンダーカップは耐久性向上のため硬度が上がり、取り除きが困難になっている。
【考案の開示】
【考案が解決しようとする課題】
【０００３】硬度の高いホイールシリンダーカップを取り除く際に竹串を用いると、指先に負担が掛かるとともに作業時間も要する。したがって、刃先をホイールシリンダーのピストン溝に合わせたニッパーを用いる事によって、前途の欠点を解決しようとするものである。
【課題を解決するための手段】
【０００４】本考案は、刃先を自動車用ホイールシリンダーのピストン溝に合わせ、逃げ角を設けたニッパーを使用し、握るだけで瞬時にカップを切除でき、且つピストン溝に傷を付けないことにより問題点を解決している。
【考案の効果】
【０００５】上述の様に、本考案の自動車用ホイールシリンダーカップカッターは、ピストンに傷を付けることなく、短時間で簡単に作業が可能となる。
【考案を実施するための最良の形態】
【０００６】ホイールシリンダーピストンに装着されているカップを、円周方向に対して、垂直に刃先をあて、カップカッターを握りながら、手前に引いて切除する。
【実施例】
【０００７】以下、添付図面に従って実施例を説明する。握り部分４を握ることにより１が作用する。刃先１がピストンに触れないようカップをしっかり掴みながら、手前に引いて切り取る。
【図面の簡単な説明】
【０００８】
【図１】本カップカッターのカッター部分の拡大図である。
【図２】本考案の自動車用ホイールシリンダーカップカッターの実施例を示す全体図である。
【符号の説明】
【０００９】１  カッター部分
２  カッター刃
３  カッター先端部
４  握り部分
【図１】
0003101054.tif 000003
【図２】
0003101054.tif 000004
(57)【要約】
【課題】  ソックスを一体型連続編立てを行うことにより、保温性アップとコストダウンを目指す。
【解決手段】  ソックスを一体型連続編立てとし、片端のみの縫製をを行うことにより、保温性をアップしコストダウンを図る。
【選択図】  図１
0003101053.tif 000002
【実用新案登録請求の範囲】
【請求項１】
ライニング（裏地）付き一体型編み立てで、片端をリンキングミシン縫い又は手縫いを行ったソックス
【考案の詳細な説明】
【技術分野】
【０００１】  本考案は、ライニング（裏地）付きの一体編み立てをを行ったソックスに関するものである。
【背景技術】
【０００２】  一般に、ライニング（裏地）は表地と別編みで、両端をリンキングミシン又は手縫いで取付ける必要があった。
【考案の開示】
【考案が解決しようとする課題】
【０００３】  別編みを一体型連続編み立てにすることで、保温性アップとコストダウンを行おうとするものである。
【課題を解決するための手段】
【０００４】  一体型連続編立て方式で、片端のみをリンキング又は手縫いで取付けることにより、問題点を解決している。
【考案の効果】
【０００５】  一体連続成型のため原材料の使用量も減り、縫製も片端だけとなりコストダウンが可能となる。
【実施例】
【０００６】  以下、添付図面に従って実施例を説明する。１は減らし目編立てをした爪先、２は目増し編立加工をしたカカト部分、３は靴下の本体部分、４は靴下のゴム編み部分、５は任意の糸で編立てたライニング裏地である。
【図面の簡単な説明】
【０００７】
【図１】一体型連続編立てソックスの平面図である。
【符号の説明】
【０００８】    １    目減らし編立てをした爪先
２    目増し編立加工したカカト部
３    ソックス本体部分
４    ソックスのゴム編み部分
５    任意の糸で編立てしたライニング裏地
【図１】
0003101053.tif 000003
(57)【要約】      （修正有）【課題】吸着盤を使用しない、日除けを提供する。【解決手段】戸袋は、上下の窓枠に合わせて軽く差し込めるようにする。戸を収納すると共に、上下に棒（鴨居、敷居）を貼る。戸袋は、横の長さは、全長の半分程がよい。戸と戸袋を付けて分岐点から、戸の上部を敷居と平行に切り取る。最後に鴨居に戸を入れて滑らせながら確認してから鴨居を貼る。戸の周片の長さは、全長から戸袋を引いてプラス３ｃｍ程余裕を取る事が必要で、その部分が鴨居の中にあって倒れを防ぎ、スライドを助ける。【選択図】図１
0003101076.tif 000002
【実用新案登録請求の範囲】
【請求項１】
窓枠の上下の隙間を利用して、戸袋を窓枠に、はめ込み、戸を引き出す構造の自動車サイド窓の日除けである。
【考案の詳細な説明】
【考案の詳細な説明】
【産業上の利用分野】
【０００１】この考案は、窓枠の上下の隙間を利用して、差し込んで立てた戸袋に収納した戸を、スライドして広げる自動車のサイド窓の日除けに関するものである。
【背景技術】
【０００２】従来の日除けは、吸着盤の吸着力でサイド窓に直に付ける方法であるが、吸着力の効果が薄れると日除けが落ちたり、利用者が窓に日除けが付いているのを忘れて窓を下げてしまい、吸着盤が外れて窓と一緒に中に入ってしまう。また、日差しも四隅から入って日除けの効果も減殺する。
【考案が解決しようとする課題】
【０００３】それには、吸着盤を使用しない、日除けを考えるのが課題である。
【課題を解決する為の手段】
【０００４】その課題を解決する為の手段は、窓硝子に付ける考えから離れて、日除けを窓枠にはめて固定して、スライドさせて広げる方法である。そこで、原則として窓を二分割にして広い窓側を固定式「戸袋」、狭い窓側をスライド式「戸」に分ける。戸袋は、上下の窓枠に合わせて軽く差し込めるようにする。更に戸を収納すると共に、スライドして出し入れできるよう上下に棒（鴨居、敷居）を貼る。戸袋は窓の大きさや形状によって異なるが、横の長さは、全長の半分程がよい。戸を収納する上下の棒は、平行であって、戸袋を窓枠にはめて、戸の上部と戸袋の上部を付け合せた接点に当たる所が、平行線と高さを表す分岐点に当たる。一方の戸は、窓枠の先端に合わせて、窓枠から相似形を写しとり形状に切り取る。戸と戸袋を付けて分岐点から、戸の上部を敷居と平行に切り取る。最後に鴨居に戸を入れて滑らせながら確認してから鴨居を貼る。
戸の底辺の長さは、全長から戸袋を引いてプラス３ｃｍ程余裕を取る事が必要で、その部分が鴨居の中にあって倒れを防ぎ、スライドを助ける大切な長さになるポイントである。なお、窓が小さい場合は、戸袋一枚でもいい。
使用材は、柔軟性があって窓枠を傷つけないで、日差しに湾曲しにくい物なら材料は問わない。
【作用】
【０００５】本考案は、窓枠の上下の隙間を利用して戸袋をはめ込んで立てる構造を考えた結果、戸袋に収めた戸を軽く引くだけで、広げる効果が生まれた。
【実施例】
【０００６】以下本案の実施例について説明する。
先ず、用意する日除け材料の長さは、窓枠の全長＋３ｃｍ余が必要です。
分割して用意する時は、戸袋の長さは窓枠の半分、戸は戸袋＋３ｃｍです。
▲１▼戸袋（１）の下より、差込み部分を５ｍｍ程残した所に、窓枠に沿って戸袋（１）に敷居（３）になるク型棒を貼り付ける。
尚、戸袋（１）の長さは、全長（戸袋の長さ＋戸の長さ）の半分に当たる。
▲２▼戸袋（１）の下を窓枠に差し込んで立て、上の窓枠に合わせて、更に５ｍｍ程余して上部を切り取る。（中に、はまる事をよく確認してから切る。）
▲３▼戸袋（１）をはめ込む。戸（２）を窓の先端に合わせて形を切り取って相似形にする。
▲４▼戸（２）を窓に合わせて、戸（２）と戸袋（１）の上部の接点を見つける。
その接点を分岐点として敷居と平行に戸（２）の上部を切り取る。
尚、戸（２）の長さは、（全長−戸袋）半分＋３ｃｍ程に当たる。
▲５▼鴨居（４）になるク型棒を貼る場所は、▲４▼の分岐点で、窓枠に当たらないよう、少しだけ横にずらして、敷居（３）と平行に貼る。（戸が円滑に動くかを、鴨居と戸の間の隙間を確認して滑らしてから貼る。）
以上で窓の日除けは完成しました。
次いで、取り付け手順を図面で説明する。
▲１▼図１は、戸袋が戸を収納している図である。
▲２▼戸袋を窓枠に差し込んで立て、鴨居を軽く押すと窓枠にはまる。
▲３▼図５は、戸をスライドさせて半分程引き出したところ。
▲４▼図６は、戸を全部開いて、窓のほとんどを隠したところ。
▲５▼外す時は戸を引き戻して戸袋に収納してから鴨居を手前に軽く引けば簡単に外せます。
【考案の効果】
【０００７】戸袋の下を窓枠に差し込んで立て、上部を軽く押せば戸袋は窓枠に、はまり固定する。その結果、日除けの吸着盤の心配も、つけ忘れの心配も不要になる。取り付けたままでも、窓の開閉が出来る。そして、広げれば窓は、ほぼ隠れるので、日除け効果が上がった。
【図面の簡単な説明】
【図１】  戸を収納した戸袋の正面図である。
【図２】  戸袋の正面図である。
【図３】  戸袋の側面図である。
【図４】  戸の正面図である。
【図５】  戸を半分程引き出した正面図である。
【図６】  戸を全部引き出した正面図である。
【図１】
0003101076.tif 000003
【図２】
0003101076.tif 000004
【図３】
0003101076.tif 000005
【図４】
0003101076.tif 000006
【図５】
0003101076.tif 000007
【図６】
0003101076.tif 000008
(57)【要約】      （修正有）【課題】抜き取る際の出入りを簡便に、かつ、濡れにくくし、また、積み替えをスムースにし、各種新聞の仕分け収納を可能にし、抜き取りの利便性を高めた全天候型新聞配達用収納ボックスを提供する。【解決手段】前荷台、後荷台にプラスチック製のボックスを取り付けて、新聞を収納し、取り出し口にゴム紐をスダレ状に固定した。【選択図】図１
0003101080.tif 000002
【実用新案登録請求の範囲】
【請求項１】
・プラスティックの箱の内側に仕切板を設け、左右両面に取出口を設け、取出口にゴムひもを縦にすき間のない様に貼り付けた全天候型新聞配達用新聞収納ボックス。
【請求項２】
・二分割セパレート型のプラスティックの箱において夫々の左右両面に取出口を設け、取出口にゴムひもを横列にすき間のない様貼りつけた全天候型新聞配達用新聞収納ボックス。
【考案の詳細な説明】
【０００１】従来新聞配達は、原付バイクの前後方荷台に新聞を積載して配達先で一部ずつ新聞を抜き取って行っているが、特に雨天時は、配達品が紙だけに神経を使うので、できるだけ雨に濡れない工夫が必要と思われる。
〔考案の属する技術分野〕
【０００２】新聞配達のスムーズ、商品の保護に寄与する。
〔従来の技術〕
【０００３】新聞配達時、従来はバイクの前籠に諸紙を入れ、籠を囲って型のビニルで覆い、上のフタを開け閉めして新聞を取り出す。後方荷台は、ビニルシートで新聞の束をくるんで、抜き取りながら配達をしていた。
〔考案が解決しようとする課題〕
【０００４】新聞を前後方ともボックスに収納して、また、取り出しを楽にし、かつ商品（新聞）を保護する。
〔課題を解決するための手段〕
【０００５】前方に透明ボックスを取付け、後にもボックスをセットする。
〔考案の実施の形態〕
【０００６】前ボックスは、諸紙（朝日新聞の場合は、本紙が朝日新聞で、諸紙が、サンケイ・東京・日刊スポーツ・サンスポ・小学生新聞  他）を透明（中身を見分け良くするため）ボックスに仕切板を使って種別に抜き取りやすいようにし、かつ、配達員に左利き・右利きがあるので、左右から抜き取れるようにする。抜き取る側には、ゴム紐を隙間のないよう貼りつけて、抜き取りやすく、かつ雨水に濡れないようにする。
配達区域内を２００〜３００部配達する中、一度では積みきれないので、途中の決められた逓送場所で配達員は積みかえを行うが、その積み込みをスムーズにし、かつ、雨水に濡れずに新聞の抜き取りがしやすいようにする（左右から抜き取れ、ゴム紐を利用し、ボックスに前後方のセパレートで、上からのかぶせ型にする）。
【図面の簡単な説明】
【図１】前方荷台上ボックスの横面図である。
【図２】後方荷台上ボックスの横面図である。
【図３】前後方荷台上の夫々のボックスの斜視図である。
【図１】
0003101080.tif 000003
【図２】
0003101080.tif 000004
【図３】
0003101080.tif 000005
【手続補正書】
【提出日】平成15年7月28日(2003.7.28)
【手続補正１】
【補正対象書類名】明細書
【補正対象項目名】実用新案登録請求の範囲
【補正方法】変更
【補正の内容】
【実用新案登録請求の範囲】
【請求項１】
・悪天候より新聞（商品）を保全し、かつ、新聞配達の能率を倍化し、読者にきれいで清潔な紙面を見てもらえることを望めると確信できる。
(57)【要約】      （修正有）【課題】夜間の地震発生時など、とっさにスリッパを履いて逃げなければならない時に簡単な動作で脱げずに走ることが可能なスリッパを提供する。【解決手段】爪皮部１またはスリッパの縁部４に両端が固定され、ゴムのように伸縮性のある掛けひも部２があり、掛けひも部２を引っ張り足の踵に掛けることにより、脱げないことを特徴とする。【選択図】図１
0003101033.tif 000002
【実用新案登録請求の範囲】
【請求項１】
スリッパの爪皮部（１）またはスリッパの縁部（３）に伸縮性のある賭けひも部（２）を付け緊急時など必要な時に賭けひも部（２）を足の踵に掛け、脱げにくくすることにより、走って安全な場所へ避難することができることを特徴としたスリッパ。
【考案の詳細な説明】
【技術分野】
【０００１】  本考案は避難するときに脱げにくいスリッパに関する。
【背景技術】
【０００２】  従来から家の中での履き物として足裏の保護や汚れを防止することを目的とするスリッパは一般的に知られている。
【考案の開示】
【考案が解決しようとする課題】
【０００３】  しかし、これらのスリッパは履きやすいが脱げやすく、本考案が目的としている、脱げにくく走りやすい本考案の目的のスリッパとは相違している。【０００４】地震が群発している時などには枕元にスリッパを用意し、すぐに逃げられる用意をする場合があるが、スリッパは履きやすい反面、靴と異なり脱げやすい欠点があった。
【課題を解決するための手段】
【０００５】考案者はこの点に鑑み考案し、両端が固定されているゴム製など伸縮性のある素材で作られた掛けひもをスリッパに付け、緊急時に掛けひも部を取り出し、足の踵に掛けることによりスリッパが脱げず、履いたまま走ることができる本案に到達したものである。
【考案の効果】
【０００６】  履きやすいが脱げやすいスリッパを掛けひも部を足の踵に掛けることにより、脱げにくく、走ることを可能にし、大地震発生時などに効果を発する考案である。
【考案を実施するための最良の形態】
【０００７】添付図面により本考案を説明すると図１は爪皮部（１）に掛けひも部（２）が付いているスリッパ全体を示す斜視図である。図中の符号（１）は爪皮部であって符号（２）は掛けひも部である。図２は掛けひも部（２）を取り出し足の踵に掛けた状態を示す斜視図である。図３は掛けひも部（２）がスリッパの縁部（３）に付いている状態を示す斜視図である。図４は掛けひも部（２）を取り出し足の踵に掛けた状態を示す斜視図である。【０００８】この掛けひも部（２）は通常ゴム製が良いが、その材質や形状については特に限定することはない。伸縮性があり容易に伸び、足の踵に掛けやすいこと、普段はスリッパの襟の部分（４）の下に隠れていて見えず、外見は通常のスリッパと変わらないが緊急避難を要する時に掛けひも部（２）を取り出せる形状であることが外見上好ましいが特に限定はしない。
【実施例】
【０００９】掛けひも部（２）は通常使用時には装飾を兼ねたり、スリッパの襟の部分（４）などに隠しておくことができるが、大地震で緊急に避難する必要がある時などには掛けひも部（２）を取り出し足の踵に掛けて走ることができる。【００１０】平常時に使用する時は一般の市販品と外見が同じだが、緊急時には簡単な動作でスリッパが脱げず、靴の代用品となり、特に高齢者がいる家庭や病院ではスリッパを履いたまま、走って安全な場所へ避難することができる。
【産業上の利用可能性】
【図面の簡単な説明】
【００１１】
【図１】本考案の爪皮部（１）に掛けひも部（２）が付いているスリッパの斜視図である。
【図２】本考案の爪皮部（１）に付いている掛けひも部（２）を取り出し足の踵に掛けた状態を示す斜視図である。
【図３】本考案の掛けひも部（２）がスリッパの縁部（３）に付いている状態を示す斜視である。
【図４】本考案のスリッパの縁（３）に付いている掛けひも部（２）を取り出し足の踵に掛けた状態を示す斜視図である。
【符号の説明】
【００１２】１  爪皮部
２  掛けひも部
３  スリッパの縁部
４  スリッパの襟の部分
【図１】
0003101033.tif 000003
【図２】
0003101033.tif 000004
【図３】
0003101033.tif 000005
【図４】
0003101033.tif 000006